(57)【特許請求の範囲】
【請求項１】
紫外域の照射強度を測定する光センサと可視域の照射強度を測定する光センサで構成される照明光を測定する照明光測定手段と、
前記紫外域の照射強度、可視域の照射強度および記録媒体情報に応じて、白色データを設定する設定手段と、
前記設定された白色データに基づき、入力色データに対して補正処理を行う補正処理手段と
を有することを特徴とする画像処理装置。
【請求項２】
前記補正処理手段は、前記白色データに基づく色順応変換処理を行うことを特徴とする請求項１記載の画像処理装置。
【請求項３】
更に、所定の紫外域強度に応じたカラーマッチング処理を行うカラーマッチング処理手段を有し、
前補正処理手段は、前記カラーマッチング処理が行われた色データに対して行うことを特徴とする請求項１記載の画像処理装置。
【請求項４】
前記補正処理手段は、前記設定手段により設定された白色データと、前記所定の紫外域強度に応じた白色データとに基づく補正処理を行うことを特徴とする請求項３記載の画像処理装置。
【請求項５】
前記可視域の照射強度を測定する光センサは、赤、緑、青の３原色の照射強度を測定することを特徴とする請求項１記載の画像処理装置。
【請求項６】
環境光の紫外域の照射強度と可視域の照射強度を取得し、
前記紫外域の照射強度、可視域の照射強度および記録媒体情報に応じて、白色データを設定し、
前記設定された白色データに基づき、入力色データに対して補正処理を行うことを特徴とする画像処理方法。
【発明の詳細な説明】
【０００１】
【発明の属する技術分野】
本発明は環境照明光に応じた補正処理を行うものに関する。
【０００２】
【従来の技術】
原稿データをコンピュータに取り込みＣＲＴなどのカラーデスプレィ画面上に表示し、必要なデザインや色変換を加えた後にプリンタなどに出力しハードコピーを得る事が多く行われる。
【０００３】
しかし、カラーデスプレー（ＣＲＴ等）は光源色であるのに対しプリンタからの出力色は物体色であることや、観察する環境の照明光の違い等により色再現特性は異なる。例えばＣＲＴではＲＧＢ色空間により、プリンタであればＣＭＹＫデータで表される色空間を国際照明委員会（ＣＩＥ）で定められているＸＹＺなどに変換し、この色空間値からそれぞれのデバイスの色信号に変換し出力する。しかし、デバイスが異なると同じ色空間値でも色再現の誤差が生じてしまう。
【０００４】
この誤差を小さくするために、プロファイルに格納されているデバイスの特性に基づく色変換テーブルを用いてカラーマッチング処理を行う。
【０００５】
ところがこれらのプロファイル作成時の環境照明光はＣＩＥで決められた標準照明光での値と仮定しているので、環境照明光が変化するとＣＲＴとプリンタ出力物では色の変化率が異なるために、異なった色に見える。そこで厳密な色合わせを行う場合にはプロファイル作成時の標準照明と環境照明光をほぼ同じにする事や、環境照明光の種類を測定して更に色補正プロセスを加える事を行っている。
【０００６】
【発明が解決しようとする課題】
ところがプロファイル作成時の標準照明と環境照明光をほぼ同じにする様な事はどの場所でも簡単にはできず、めんどうで高価な物となっており、紫外域まで同様の照明にするのは困難である。また、観察する環境照明光を測定して色補正する従来方法では可視域光（３８０〜７８０ｎｍ）で測定が行われ、環境照明光が判定されても可視域での色補正を行うだけである。一方出力プリント物の基材である紙やインクは発色特性の向上を狙い、蛍光増白材を用いる事が多くなっている。このことにより、例えば図５紫外域照明強度による紙の反射率変化図に示す様に、紫外部の照射強度が増すと蛍光増白効果により部分的な波長（色）域で１００％を越える反射率となり、発色特性が変化することになる。このため、従来方法の紫外域の照射強度を考慮しない環境照明光測定手段と色画像処理では不十分であり、結果としての出力色は不正確となっていた。
【０００７】
本発明は上述の点に鑑みてなされたものであり、紫外線の照射強度に応じている蛍光増白色効果を考慮した補正処理を行うことにより、高品質の出力画像を出力できるようにすることを目的とする。
【０００８】
【課題を解決するための手段】
本発明は上述の目的を達成するために、以下の構成要件を有することを特徴とする。
【０００９】
本願第１の発明は、紫外域の照射強度を測定する光センサと可視域の照射強度を測定する光センサで構成される照明光を測定する照明光測定手段と、前記紫外域の照射強度、可視域の照射強度および記録媒体情報に応じて、白色データを設定する設定手段と、前記設定された白色データに基づき、入力色データに対して補正処理を行う補正処理手段とを有することを特徴とする。
【００１１】
【発明の実施の形態】
（実施形態１）
本発明の実施形態１にかかる色画像処理装置の構成の１例を示すブロック図を図１に示す。
【００１２】
０１は出力画像（プリント）を照明する環境照明光である。１１は入力画像信号で標準の照明光で得られた、例えばＮＴＳＣのＲＧＢ信号の形で取り込まれた画像信号である。
【００１３】
２０は色画像処理部で画像信号を出力に適した信号とする処理を行う。色画像処理部は入力画像信号に補正パラメータを用いて濃度補正やγ補正を行い、色度信号ＸＹＺに変換する入力信号処理部２１、色度信号に環境照明光情報などに基づき最適な補正を加える色補正処理部２２、色補正された色度信号Ｘ′Ｙ′Ｚ′をプリンタ出力に適したＣＭＹＢｋ信号に変換するプリンタ色処理部２３から構成され、全体は図示しないＣＰＵで制御される。
【００１４】
ＣＭＹＢｋ信号３０に基づき、プリンタ部でＣ、Ｍ、Ｙ、Ｂｋ各色の記録剤を用いて、記録媒体上に出力画像が形成される。
【００１５】
色補正処理部２２は標準照明光に対応したカラーマッチング処理を行うルックアップテーブル２２ｃ紫外域照度と出力紙情報、スキャナ情報等から補正量信号を求める紫外光照度補正テーブル２２ｂ、そして記録媒体と環境照明光に応じた蛍光増白効果を考慮した環境照明光補正処理を行う環境照明光補正処理部２２ａで構成される。
【００１６】
４０は環境光照明検知手段でプリント物３１を観察する環境照明光０１を検知し色度値や明るさのデータをメモリー４１に蓄えることができる。環境照明光測定手段は図２の様な配置の受光部を持ち、シリコンフォトセルとフィルターにより選択された光が受光される構造であって赤（Ｒ）、緑（Ｇ）、青（Ｂ）の可視域３原色と紫外域（ＵＶ）を測定する。これらの分光感度のおおよそ値のグラフを図３に示す。
【００１７】
図１を用いて動作を説明する。入力画像信号１１は標準の照明で得られたＲＧＢ信号の形で取り込まれ、入力信号処理部２１で濃度補正やγ補正色度信号ＸＹＺに変換される。
【００１８】
次に、ルックアップテーブル２２ｃによって、観察時の照明光である環境照明光が標準の紫外域照度光であると仮定して、入出力デバイス間の色再現範囲の違い等に基づく、カラーマッチング処理が行われ、色度信号ＸｃＹｃＺｃに変換される。このルックアップテーブルはプロファイルデータとして予め複数の入力デバイスと出力デバイスの組に対応して格納されている。そして、不図示のＣＰＵにより入力画像信号の入力デバイスに対応するプロファイルデータのルックアップテーブルがルックアップテーブル２２ｃに設定される。
【００１９】
一方、環境光照明検知手段４０はプリント物３１を観察する環境照明光０１を測定しそのデータをメモリーに蓄えているので、図示しないＣＰＵは測定した紫外域と可視域の強度と記録媒体情報（紙情報）に応じて、予め実験で求められている紫外域照度対応テーブルから、出力画像を観察する時の基準となる白色データを示す三原色ＲｗＧｗＢｗ信号を環境照明光補正処理部に送る。
【００２０】
環境照明光補正処理２２ａは、ルックアップテーブル２２ｃから出力された色度信号ＸｃＹｃＺｃに対し、環境照明光の紫外域の照明強度により紙の蛍光が作用し、照明により基準白色点が変化するとみなして、例えばフォン・クリース（Ｖｏｎ  Ｋｒｉｅｓ）の色順応予測式を使用して補正処理を行う。
【００２１】
標準と異なった紫外域強度で照明されたプリントの補正される値は三刺激値Ｘ′Ｙ′Ｚ′とするとフォン・クリースの式によれば以下のように表せる。
【００２２】
【外１】
0003720485.tif 000002
【００２３】
ここで、三原色ＣＲＣＧＣＢは標準の紫外域照明光と環境照明光が同じ場合のプリント（紙）白色点の三刺激値Ｃｘ、Ｃｙ、Ｃｚに基づき求め、（Ｍ）は基本原色である三刺激値Ｃｘ、Ｃｙ、Ｃｚから定義される３×３のマトリックスで表せる常数で（Ｄ）は白色点のシフト量であり、以下の様に表せる。
【００２４】
【外２】
0003720485.tif 000003
ここで  Ｒｋ＝ＲＷ／ＣＲ
Ｇｋ＝ＧＷ／ＣＧ
Ｂｋ＝ＢＷ／ＣＢ
である。この様な補正を加えることにより標準光より紫外域の照射光が少ない場合は蛍光増白効果を補い、照射光が多い場合は効果を減ずる。
【００２５】
色補正部で補正された三刺激値信号Ｘ′Ｙ′Ｚ′をプリンタ色処理部２３でプリンタ出力に適したＣ、Ｍ、Ｙ、Ｂｋ信号３０に公知の方法を用い変換し、出力画像としてのプリント物３１を得る。
【００２６】
（実施形態２）
図４はコンピュータに取り込み、ＣＲＴ等のデスプレーで表示した後に出力する装置で、原稿とＣＲＴを同じ色に見えるよう調整する、プレビュアー装置に利用した場合のブロック構成例を表わした物である。同図で示す構成要素に付した番号は実施形態１で用いた図１中の同番号の要素と同じ働きを示すので異なる要素のみを説明する。１０は原画像で環境照明光０１でプリントに再現される色画像を出力表示するモニタ３２、プリント３１と共に照明されている。また、色画像処理部にはモニタ用に色変換を行うモニタ色処理部２４が属している。
【００２７】
同図を用いて動作を説明する。原画像１０をスキャナー等で読みとった入力画像信号１１は標準の照明で得られたＲＧＢ信号の形で取り込まれ、入力信号処理部２１で公知の方法を用い濃度補正やγ補正され色度信号ＸＹＺに変換される。この時、スキャナーの照明情報は色補正処理部の紫外光照度対応テーブルに記憶させる。
【００２８】
更に、ＸＹＺ信号は色補正処理部でマトリックスを作成した標準の紫外域照度光、例えばＣ光源で作成され、観察される環境照明光も同様の条件を仮定して色再現範囲等の補正がルックアップテーブルを用いて行われ色度信号Ｘｃ、Ｙｃ、Ｚｃとなる。
【００２９】
一方、環境光照明検知手段４０はプリント物３１や原画像１０を照明する環境照明光０１を検知しそのデータをメモリーに蓄えているので、図示しないＣＰＵは検知した紫外域と可視域の強度に応じて、予め実験で求められている紫外域照度対応テーブルから、スキャナー照明情報と紙情報とから補正すべき白色データの三原色ＲＷＧＷＢＷ信号を環境照明光補正処理部に送る。環境照明光補正処理部はスキャナ照明情報との比較を行い、先の三原色補正値が適当かどうかを判断し、補正が必要の場合は実施形態１で説明した補正を行う。補正された三刺激値信号Ｘ′Ｙ′Ｚ′をプリンタ色処理部２３でプリンタ出力に適したＣ、Ｍ、Ｙ、Ｂｋ信号３０に変換し、モニタ色処理部２２ｃでモニタの表示に最適なＲ′Ｇ′Ｂ′に変換される。これらの変換は公知の方法を用いて行われ、出力画像としてのプリント物３１やモニタ画像３２を得る。
【００３０】
以上述べたように上述の実施の形態によれば、プロファイルデータを作成した標準照明光と観察する環境照明光が異なっても、環境照明光測定手段により、紫外域と可視域の変化に応じた環境照明光が測定され、色補正手段により環境照明光に応じた色補正が成されるので、蛍光増白（色）効果の異なるプリント物やＣＲＴを用いたプレビューア等でも再現色作成が正確に、かつ効果的に実現できる。
【００３１】
〈他の実施形態〉
本発明は複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【００３２】
また前述した実施形態の機能を実現する様に各種のデバイスを動作させる様に該各種デバイスと接続された装置あるいはシステム内のコンピュータに、前記実施形態機能を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本願発明の範疇に含まれる。
【００３３】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００３４】
かかるプログラムコードを格納する記憶媒体としては例えばフロッピーディスク、ハードディスク、光ディスク、光磁気ディスク、ＣＤ−ＲＯＭ、磁気テープ、不揮発性のメモリカード、ＲＯＭ等を用いることが出来る。
【００３５】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本願発明の実施形態に含まれることは言うまでもない。
【００３６】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本願発明に含まれることは言うまでもない。
【００３７】
【発明の効果】
本発明によれば、紫外域の照射強度に応じている蛍光増白色効果を考慮した補正処理を行うことにより、高品質の出力画像を出力できるようにすることができる。
【図面の簡単な説明】
【図１】実施形態１にかかる構成を示す図である。
【図２】環境照明光検知手段のセンサー部の構成を示す図である。
【図３】環境照明光検知手段の分光感度を表わす図である。
【図４】実施形態２にかかる構成を示す図である。
【図５】紫外域照明強度による紙の反射率を表わす図である。
【図１】
0003720485.tif 000004
【図２】
0003720485.tif 000005
【図３】
0003720485.tif 000006
【図４】
0003720485.tif 000007
【図５】
0003720485.tif 000008